(57)【特許請求の範囲】
【請求項１】
複数の基地局を有する複数の基地システムから構成される通信システムにおいて、欠落の恐れがある呼を回復するために、受信器への送信資源用制御装置のための方法であって、
前記制御装置と前記受信器が同一の資源を選択したか否か判断する段階と、
前記制御装置と前記受信器が同一の資源を選択していない場合、前記複数の基地局の内、どの基地局が送信を開始すべきか判断する段階と、
送信を開始すべき前記基地局の送信器を起動する段階と、を含むことを特徴とする方法。
【請求項２】
請求項１に記載の方法において、前記制御装置と前記受信器が同一の資源を選択したか否か判断する前記段階は、
拡張パイロット信号強度測定メッセージを受信する段階であって、前記メッセージは、前記制御装置によって選択されたいずれかの救援セルが、前記受信器によってアクティブセットに設定された少なくとも１つのセルと整合するか否か示す前記段階と、
前記制御装置によって選択されたいずれかの救援セルが、前記受信器によってアクティブセットに設定された少なくとも１つのセルと整合する場合、前記制御装置と前記受信器が同一の資源を選択したと判断する段階と、
前記制御装置によって選択された救援セルがいずれも、前記受信器によってアクティブセットに設定された少なくとも１つのセルと整合しない場合、前記制御装置と前記受信器が同一の資源を選択していないと判断する段階と、
を含むことを特徴とする方法。
【請求項３】
欠落の恐れがある呼を回復するために、隣接する基地システムにおいて予め割当てられた無線資源をサポートするための救援チャネル法であって、
移動局からの送信欠損を検出する段階と、
前記隣接する基地システムの内、第１基地システムの第１救援セルを選択する段階と、
前記第１基地システムに前記移動局を獲得する用意をさせるために、ソフトハンドオフ追加手順を開始する段階と、
拡張パイロット信号強度測定メッセージを受信する段階と、
前記拡張パイロット信号強度測定メッセージから、前記移動局が前記第１救援セルを選択したか否か判断する段階と、
前記ＭＳが前記第１救援セルを選択しなかった場合、前記隣接する基地システムの内、前記移動局によってアクティブセットに自発的に設定された第２基地システムにソフトハンドオフ区間を追加する段階と、を含むことを特徴とする方法。
【請求項４】
請求項３に記載の方法において、前記ＭＳが前記第１救援セルを選択しなかった場合、前記方法は、更に、
前記第１基地システムとのソフトハンドオフ救援チャネル資源を解放する段階を含むことを特徴とする方法。
【請求項５】
請求項４に記載の方法であって、更に、
前記第２基地システムが順方向フレームの送信を開始するように指示する段階を含むことを特徴とする方法。
【請求項６】
請求項３に記載の方法であって、第１救援セルを選択する前記段階は、前記移動局の隣接局リストに基づき、前記第１救援セルを選択する段階を含むことを特徴とする方法。
【請求項７】
請求項３に記載の方法であって、第１救援セルを選択する前記段階は、最新の拡張パイロット信号強度測定メッセージに基づき、前記第１救援セルを選択する段階を含むことを特徴とする方法。
【請求項８】
請求項３に記載の方法であって、前記移動局が前記第１救援候補セルを選択した場合、前記方法は、順方向フレームの送信を開始するように、前記第１基地システムに指示する段階を含むことを特徴とする方法。
【請求項９】
請求項３に記載の方法であって、ソフトハンドオフ区間を追加する前記段階は、
Ａ７ハンドオフ要求を前記第２基地システムへ送信する段階であって、前記メッセージにおいて、移動局へ送信を開始するように前記第２基地システムに指示することを示す前記段階と、
前記第２基地システムへ順方向トラフィックフレームを送信する段階と、
救援チャネル資源の設定を確認するＡ７ハンドオフ要求応答を受信する段階と、を含むことを特徴とする方法。
【請求項１０】
請求項４に記載の方法であって、ソフトハンドオフ救援チャネル資源を解放する前記段階は、
前記移動局によって前記アクティブセットへ設定されなかったあらゆる救援チャネルの解放を要求するために、Ａ７欠落送信先メッセージを前記第１基地システムへ送信する段階と、
Ａ７欠落送信先応答を受信する段階と、を含むことを特徴とする方法。
【発明の詳細な説明】
【０００１】
【発明の属する技術分野】
本発明は、一般的に通信システムの分野に関し、特に、無線移動ネットワークにおける呼の欠落を低減するための信号送信方式に関する。
【０００２】
【従来の技術】
セル方式通信システムでは、移動通信ユニットと固定通信ユニット（例えば、セルから構成される基盤施設）との間の信号及び音声又はデータによる通信情報は、ＲＦチャネルを介して伝えられる。ＩＳ−９５、ＩＳ−２０００やＷＣＤＭＡ等に記述されたＣＤＭＡシステムでは、ＲＦチャネルは、直交ウォルシュコードや他の固有の識別子を用いて独立に拡散された数多くの通信からの信号を有するＲＦキャリアである。ＧＳＭ等のＴＤＭＡシステムにおいて、ＲＦチャネルは、ＲＦキャリアとタイムスロットとの組み合わせである。移動ユニットが、セル方式システム中を移動するにつれて、第１固定通信ユニットから第２固定通信ユニットへ、移動ユニットのハンドオフをサポートする必要が生じる。ＣＤＭＡの場合、このハンドオフは、第２固定通信ユニットと共に第１固定通信ユニットが移動ユニットと接続されたままにし得るソフトハンドオフであってよい。この時、ソフトハンドオフは、セルサイトダイバーシティに、各固定通信ユニット接続からの最善の信号を組み合わせることによって通信経路を改善させる。
【０００３】
【発明が解決しようとする課題】
セル方式システムは、常に、呼欠落の低減あるいは解消という課題に直面している。しかしながら、干渉により制限された環境においては、トラフィックチャネルが劣化した場合、移動局や基盤施設がハンドオーバのために信号メッセージを交信する能力は、極端に阻害される。このメッセージ交信が実行できない場合、移動局を、その現在の劣化したトラフィックチャネル状態から救い出すために必要なハンドオーバも実行できない。このことは、遂には呼の欠落を招く。
【０００４】
この呼欠落問題に対する部分的な解決策が、ボンタ（Ｂｏｎｔａ）らによる米国特許第５，９１３，１６７号“無線通信システムにおける通信リンクの転送方法”に記載されている。この第５，９１３，１６７号特許は、移動ユニットと第１固定通信ユニットとの間の通信に障害が発生した場合、第１固定通信ユニットから第２固定通信ユニットへのハンドオフに用い得る予約済みチャネルのリストを移動局に提供する。この第５，９１３，１６７号特許は、この問題に対して、部分的な解決策を提供するが、移動ユニットと第１固定通信ユニットは時間に連動して、結果的にブラインドハンドオフに至るようなことを確実に実行させるような決まった手順は存在しない。移動ユニットと基盤施設が時間に連動しない場合、移動ユニットは、ハンドオフを受け付ける準備ができていない基盤施設の設備に対するハンドオフの実行を試みることができる。更に、従来技術には、同時呼欠落に至る同時通信ブレークダウンを処理するための決まった手順がない。このことは、設備資源を効率的に利用しようとする場合、特に問題である。
【０００５】
他の呼欠落問題に対して提案された解決策が、本発明と同じ譲受人に譲渡された、ボンタらによる米国特許第６，３３７，９８３号“無線通信システムにおける自発的ハンドオフの方法”で提供されている。一般的に、ボンタの出願は、基ハンドオフが起こった時、盤施設の準備ができていないためにそのハンドオフを受け付けられない事態を低減する無線通信システムにおいて、自発的ハンドオフを効率的に実行するための方法と装置を提供する。特に、ボンタの発明は、ハンドオーバ制御メッセージの送信と受信の必要性を軽減するハンドオフ手順において救援チャネルを利用する。ボンタの発明の好適な実施形態においては、基盤施設と移動局とにおける救援手順の連携が、まず、移動送信器をディスエーブルにし、次に、交信中のセルにおける信号欠損とフレーム消失を検出することによって、第２に、移動送信器をイネーブルにし、次に、救援セルによって信号を検出することによって、また、最後に救援セルチャネル送信器をイネーブルにし、次に、移動局によって信号とフレームを検出また受信することによって、提供されている。
【０００６】
しかしながら、ボンタの発明は、救援セル手順を実行するためには必ず必要な基盤施設構成要素間の信号送信には対応していない。従って、基盤施設が確実に救援候補セルに対して適切な動作を信号送信し得るために、通信システム構成要素間での信号送信方式に対する必要性がある。
【０００７】
【課題を解決するための手段】
本発明によれば、複数の基地局を有する複数の基地システムから構成される通信システムにおいて、欠落の恐れがある呼を回復するために、受信器への送信資源用制御装置のための方法であって、前記制御装置と前記受信器が同一の資源を選択したか否か判断する段階と、前記制御装置と前記受信器が同一の資源を選択していない場合、前記複数の基地局の内、どの基地局が送信を開始すべきか判断する段階と、送信を開始すべき前記基地局の送信器を起動する段階と、を含むことを特徴とする方法が提供される。
【０００８】
該方法において、前記制御装置と前記受信器が同一の資源を選択したか否か判断する前記段階は、拡張パイロット信号強度測定メッセージを受信する段階であって、前記メッセージは、前記制御装置によって選択されたいずれかの救援セルが、前記受信器によってアクティブセットに設定された少なくとも１つのセルと整合するか否か示す前記段階と、前記制御装置によって選択されたいずれかの救援セルが、前記受信器によってアクティブセットに設定された少なくとも１つのセルと整合する場合、前記制御装置と前記受信器が同一の資源を選択したと判断する段階と、前記制御装置によって選択された救援セルがいずれも、前記受信器によってアクティブセットに設定された少なくとも１つのセルと整合しない場合、前記制御装置と前記受信器が同一の資源を選択していないと判断する段階と、を含み得る。
【０００９】
本発明によれば、また、欠落の恐れがある呼を回復するために、隣接する基地システムにおいて予め割当てられた無線資源をサポートするための救援チャネル法であって、移動局からの送信欠損を検出する段階と、前記隣接する基地システムの内、第１基地システムの第１救援セルを選択する段階と、前記第１基地システムに前記移動局を獲得する用意をさせるために、ソフトハンドオフ追加手順を開始する段階と、拡張パイロット信号強度測定メッセージを受信する段階と、前記拡張パイロット信号強度測定メッセージから、前記移動局が前記第１救援セルを選択したか否か判断する段階と、前記ＭＳが前記第１救援セルを選択しなかった場合、前記隣接する基地システムの内、前記移動局によってアクティブセットに自発的に設定された第２基地システムにソフトハンドオフ区間を追加する段階と、を含むことを特徴とする方法が提供される。
【００１０】
該方法において、前記ＭＳが前記第１救援セルを選択しなかった場合、前記方法は、更に、前記第１基地システムとのソフトハンドオフ救援チャネル資源を解放する段階を含み得る。
【００１１】
該方法は、更に、前記第２基地システムが順方向フレームの送信を開始するように指示する段階を含み得る。
また、該方法において、第１救援セルを選択する前記段階は、前記移動局の隣接局リストに基づき、前記第１救援セルを選択する段階を含み得る。
【００１２】
該方法において、第１救援セルを選択する前記段階は、最新の拡張パイロット信号強度測定メッセージに基づき、前記第１救援セルを選択する段階を含み得る。
前記移動局が前記第１救援候補セルを選択した場合、前記方法は、順方向フレームの送信を開始するように、前記第１基地システムに指示する段階を含み得る。
【００１３】
該方法において、ソフトハンドオフ区間を追加する前記段階は、Ａ７ハンドオフ要求を前記第２基地システムへ送信する段階であって、前記メッセージにおいて、移動局へ送信を開始するように前記第２基地システムに指示することを示す前記段階と、前記第２基地システムへ順方向トラフィックフレームを送信する段階と、救援チャネル資源の設定を確認するＡ７ハンドオフ要求応答を受信する段階と、を含み得る。
【００１４】
該方法において、ソフトハンドオフ救援チャネル資源を解放する前記段階は、前記移動局によって前記アクティブセットへ設定されなかったあらゆる救援チャネルの解放を要求するために、Ａ７欠落送信先メッセージを前記第１基地システムへ送信する段階と、Ａ７欠落送信先応答を受信する段階と、を含み得る。
【００１５】
作用的に述べれば、欠落の恐れがある音声呼の回復を試みるために、救援チャネル機能が、隣接するＢＳの予め割当てられた無線資源の使用をサポートし得る。ＭＳは、ネットワークからの順方向フレームの欠損を検出すると、その送信器をディスエーブル状態にし得る。送信元ＢＳは、ＭＳからの送信欠損を一旦検出すると、隣接するＢＳにおいて救援セルへのソフトハンドオフ追加を実行することによって、ＭＳとの通信の再確立を試み得る。隣接ＢＳは、ＭＳの隣接局リスト、拡張パイロット強度測定メッセージ（ＥＰＳＭＭ）の最新報告、及び場合によっては他の因子に基づき選択され得る。
【００１６】
【発明の実施の形態】
本発明は、一般的に、通信システムにおける救援チャネルをサポートするための方法を提供する。特に、本発明は、基盤施設が、救援候補セルに適切な動作を確実に信号送信できるように通信システム構成要素間における信号送信方式を提供する。好適な実施形態において、本方法は、符号分割多元接続（ＣＤＭＡ）システムにおいて実現される。しかしながら、本発明はまた、周波数分割多元接続（ＦＤＭＡ）又はＯＦＤＭシステムにおいても用い得る。図１において、本発明を実現するために用い得る通信システム１００のブロック図を示す。システム１００が追加的な要素を含み得ることを、当業者は認識されるであろう。システム１００は、Ａ３信号送信／伝送用インタフェース１０８及びＡ７信号送信用インタフェース１１０を介して、複数の送信先ＢＳ１０４、１０６に接続された送信元ＢＳ１０２を含む。ＴＩＡ／ＥＩＡ／ＩＳ−２００１−Ａ（２００１年６月）ＣＤＭＡ２０００アクセス用の相互運用規格（ＩＯＳ）（以降本明細書では“ＩＯＳ”と呼ぶ）の１．７．２項で規定されているように、送信先ＢＳ１０４、１０６が送信元ＢＳ１０２内のフレーム選択機能に接続される場合、Ａ３インタフェース１０８は、ＢＳ間におけるソフト／より緩やかなソフトハンドオフに用いられる。Ａ７インタフェース１１０は、ＢＳ間におけるソフト／より緩やかなソフトハンドオフのために、送信元ＢＳ１０２と送信先ＢＳ１０４、１０６との間で用いられる。ＭＳ１１４は、無線インタフェース１１６を介して、ＢＳ１０２、１０４、１０６に接続される。移動交換局（ＭＳＣ）１１２は、後に本明細書で議論するように、ハンドオフ実行メッセージを受信するためのＡ１インタフェース１１８を介して送信元ＢＳ１０２に接続される。
【００１７】
一般的に、救援チャネル法は、欠落の恐れがある音声呼の回復を試みるために、隣接するＢＳ１０４、１０６において予め割当てられた無線資源の使用をサポートする。ＭＳ１１４は、ネットワークからの順方向フレームの欠損を検出すると、その送信器をディスエーブル状態にする。送信元ＢＳ１０２が、ＭＳ１１４からの送信欠損を一旦検出すると、隣接ＢＳ１０４、１０６において救援セルへのソフトハンドオフ追加を実行することによって、ＭＳ１１４との通信の再確立を試みてもよい。隣接ＢＳ１０４、１０６は、ＭＳの隣接局リスト、拡張パイロット信号強度測定メッセージ（ＥＰＳＭＭ）の最新報告、及び場合によっては他の因子に基づき選択される。
【００１８】
送信元ＢＳ１０２は、ＭＳ１１４の隣接局リストにＢＳを追加する場合、その隣接局が救援チャネルをサポートするかどうかＭＳ１１４に対して示す。後に、呼救援が要求された場合、ＭＳ１１４は、その隣接局をそのアクティブセット（活動中のセット）に自発的に設立し、予め割当てられた救援チャネルの使用を開始し得る。
【００１９】
予め決められた数（好適には１２個）の連続する不良フレームを受信すると、ＭＳ１１４は、その送信器をディスエーブルにし、タイマをセットする。タイマの時間が経過した後、ＭＳ１１４は、そのアクティブセットに１つ又は複数の適切な救援セルを自発的に設定し、その送信器を再度イネーブルにし、逆方向トラフィックフレームと、新しく設定されたパイロット信号（群）にフラグをたてるＥＰＳＭＭとを送信し始める。ＭＳ１１４が送信を中止したことを確認すると、送信元ＢＳ１０２は、ＭＳの隣接局リスト、最新のＥＰＳＭＭ、及び場合によっては他の因子に基づき、救援候補セル（群）を選択し、ソフトハンドオフ追加手順を開始して、送信先救援セル（群）を準備し、ＭＳ１１４を獲得する。
【００２０】
救援用Ａ３接続は、Ａ７ハンドオフ要求メッセージが送信先において受信された場合、活性化される。このメッセージは、呼救援手順が要求されたことを示し、場合によっては、ＭＳ１１４が獲得されるまで、送信先ＢＳ１０４、１０６が送信してはならないことを示す（本文中で議論するメッセージは全てＩＯＳ第６項に定義されている）。送信先ＢＳ１０４、１０６は、救援手順がサポートされ得るかどうか、Ａ７ハンドオフ要求応答メッセージで示す。手順がサポートされ得る場合、送信先ＢＳ１０４、１０６は、Ａ７ハンドオフ要求メッセージに示された周波数でＭＳ１１４に対するリスニングを開始する。ＭＳ１１４がその送信器を再度イネーブルにする場合、送信元ＢＳ１０２は、ＭＳ１１４から受信したＥＰＳＭＭを調査して、アクティブセット内に自発的に設定された救援セルが、送信元ＢＳ１０２が選択した救援セルと同一であるかどうか判定する。ＭＳ１１４が送信元ＢＳ１０２の選択とは異なる救援セルを設定したことをＥＰＳＭＭが示す場合、送信元ＢＳ１０２は、ＭＳ１１４が自発的に設定した送信先ＢＳ１０４、１０６に、ソフトハンドオフ区間（群）（ソフトハンドオフをサポートする目的の送信元ＢＳから送信先ＢＳへのａ３／ａ７接続）を追加し、それ以前に追加された救援セル（群）へのハンドオフ区間（群）を解放する。ＭＳ１１４は既にその送信をリスニング中であることから、送信先救援セルは、順方向フレームの送信を直ちに開始するよう指示される。
【００２１】
一旦ＭＳ１１４の回復が成功すると、呼は、救援セル上で救援チャネルから通常のトラフィックチャネルに即座に移されて、その救援チャネルが他の救援試行に対して利用可能になる。他のあらゆる潜在的に強固な隣接局へのソフトハンドオフ区間を追加し、脆弱なセルは全て除いてもよい。基盤施設による救援試行にもかかわらず、呼回復が失敗した場合、ＩＯＳ第３．４．７項に記載されているように、通常の呼失敗処理が行われる。図２及び３の流れ図は、概略を上述の如く議論した救援チャネル法用の信号の流れを詳細に説明している。
【００２２】
本発明の第１の実施形態において、図２は、送信元ＢＳ及びＭＳ１１４が、同じ救援セル（群）を選択して救援を試みる場合の信号の流れを示す。時間ａにおいて、ＭＳ１１４は、アクティブ音声呼２０１でネットワークと接続されている。時間ｂにおいて、送信元ＢＳ１０２は、拡張隣接局リスト更新メッセージ（ＥＮＬＵＭ）２０２をＭＳ１１４に送信する。ＥＮＬＵＭメッセージは、救援チャネルパラメータを含む。ＭＳ１１４は、ＥＮＬＵＭをまだ受信していない場合、共通隣接局リストメッセージ（ＵＮＬＭ）、一般隣接局リストメッセージ（ＧＮＬＭ）、又は拡張隣接局リストメッセージ（ＥＮＬＭ）において受信された救援チャネルパラメータを用いる。時間ｃにおいて、ＭＳ１１４は、所定数の信号品質が不充分なフレーム２０４を受信し、その送信器をディスエーブルにする。時間ｄにおいて、送信元ＢＳ１０２は、ＭＳ１１４からの送信の欠損を検出し、ＭＳの隣接局リスト、最新のＥＰＳＭＭ、及び場合によっては他の因子に基づき、ＭＳ１１４に対する１つ又は複数の救援候補セルを選択する。送信元ＢＳ１０２は、Ａ７ハンドオフ要求メッセージ２０６を送信先ＢＳ１０４、１０６に送信して、救援セルが要求されていることを示す。そのメッセージは、送信元ＢＳ１０２が選択した１つ以上の救援候補セルのセルＩＤ（群）と、救援手順が要求されていることを送信先ＢＳ（群）１０４、１０６に示す救援試行情報要素（ＩＥ）とを含む。要素中の送信フラグが、“０”にセットされ、ＭＳ１１４が獲得されるまで順方向フレームを送信しないように送信先ＢＳ（群）１０４、１０６に指示する。
【００２３】
時間ｅにおいて、送信元ＢＳ１０２は、順方向トラフィックフレーム２０８を送信先ＢＳ（群）１０４、１０６へ送信し始め、Ａ３救援リンクを同期化する。時間ｆにおいて、送信先ＢＳ（群）１０４、１０６は、最初の順方向フレームが受信されてＡ３救援リンクが同期化されると直ちに、送信元ＢＳ１０２へ逆方向アイドルフレーム２１０を送信し始める。ＭＳ１１４を既に獲得している場合、送信先ＢＳ（群）１０４、１０６は、逆方向トラフィックフレーム２１０を送信する。時間ｇにおいて、送信先ＢＳ（群）１０４、１０６は、Ａ７ハンドオフ要求応答メッセージ２１２を送信元ＢＳ１０２に送信して、救援セル手順がサポートされ得るかどうか確認する。送信先ＢＳ（群）１０４、１０６は、救援手順をサポートできる場合、選択された救援セル（群）上でＭＳ１１４の獲得を試みる。時間ｈにおいて、（ＥＮＬＵＭ／ＵＮＬＭ／ＧＮＬＭ／ＥＮＬＭメッセージにおいて指定されるように）設定可能な時間経過後、ＭＳ１１４は、その送信器を再度イネーブルにする。次に、送信先ＢＳ（群）１０４、１０６は、ＭＳ１１４から逆方向フレーム及び／又はＥＰＳＭＭ２１４の受信を開始する。時間ｉにおいて、送信先ＢＳ（群）１０４、１０６は、逆方向フレームが受信されると直ちに、救援チャネル（群）を介してＭＳ１１４へ順方向トラフィックフレーム２１６の送信を開始する。時間ｊにおいて、送信先ＢＳ（群）１０４、１０６は、送信元ＢＳ１０２に、逆方向トラフィックフレーム及びＥＰＳＭＭ２１８を送信する。ＥＰＳＭＭメッセージは、送信元ＢＳ１０２が選択した少なくとも１つの救援セルが、ＭＳ１１４によってアクティブセットへ自発的に設定されたことを示す。時間ｋにおいて、送信元ＢＳ１０２は、救援チャネルから通常のトラフィックチャネルに呼を移すために、送信元ＢＳ１０２によって双方共成功裏に選択され、またＭＳ１１４によってアクティブセットへ自発的に設定されたあらゆる救援セルに対して、送信先ＢＳ（群）１０４、１０６とのソフト／より緩やかなソフトハンドオフ追加手順２２０（ＩＯＳの３．５．２．３．１項に記載）を開始する（救援用Ａ３接続は解放されない）。送信元ＢＳ１０２は、必要ならばアクティブセットを同期化するために、ソフトハンドオフ追加と除去手順（ＩＯＳの３．５．２．３．３項に記載）を実行する。
【００２４】
時間ｌにおいて、送信元ＢＳ１０２は、Ａ３−ＩＳ−２０００ＦＣＨ順方向メッセージ２２２のハンドオフ指示メッセージを、送信先ＢＳ（群）１０４、１０６に送信する。時間ｍにおいて、送信先ＢＳ（群）１０４、１０６は、ハンドオフ指示メッセージ２２４をＭＳ１１４に送信して、アクティブセットを同期化し、また救援チャネルからＭＳ１１４を離す。時間ｎにおいて、ＭＳ１１４は、ＭＳ応答命令２２６を用いてメッセージの受信を確認する。時間ｏにおいて、ＭＳ１１４は、ハンドオフ完了メッセージ２２８を用いて応答することによって、ハンドオフ指示メッセージの処理結果が成功であったことを示す。時間ｐにおいて、送信先ＢＳ（群）１０４、１０６は、ＢＳ応答命令２３０で応答する。時間ｑにおいて、送信元ＢＳ１０２は、ハンドオフ実行メッセージ２３２をＭＳＣに送信してもよい。ハンドオフ実行メッセージは、ＩＯＳ第３．３．１．３項に基づく条件付きである。ハンドオフ実行メッセージは、ハンドオフ完了メッセージがＢＳにおいて受信された後であればいつでも送信し得る。時間ｒにおいて、送信元ＢＳ１０２は、Ａ７欠落送信先メッセージ２３４を送信先ＢＳ（群）１０４、１０６に送信して、呼回復用救援チャネル（群）の解放を要求する。送信元ＢＳ１０２は、タイマＴｄｒｐｔｇｔを開始する。救援Ａ３リンクは、今後の救援試行用に接続されたままにする。時間ｓにおいて、送信先ＢＳ（群）１０４、１０６は、Ａ７欠落送信先応答メッセージ２３６を送信元ＢＳ１０２に送信して、指定されたチャネル（群）の解放を確認する。送信元ＢＳ１０２は、タイマＴｄｒｐｔｇｔを停止する。
【００２５】
本発明の第２の実施形態において、図３は、送信元ＢＳ及びＭＳ１１４が、同じ救援セル（群）を選択して救援を試みる場合に対する他の信号の流れを示す。時間ａにおいて、ＭＳ１１４は、アクティブ音声呼２０１でネットワークと接続されている。時間ｂにおいて、送信元ＢＳ１０２は、ＥＮＬＵＭ２０２をＭＳ１１４に送信する。ＥＮＬＵＭメッセージは、救援チャネルパラメータを含む。ＭＳ１１４は、ＥＮＬＵＭをまだ受信していない場合、ＵＮＬＭ、ＧＮＬＭ、又はＥＮＬＭにおいて受信された救援チャネルパラメータを用いる。時間ｃにおいて、ＭＳ１１４は、所定数の信号品質が不充分なフレーム２０４を受信し、その送信器をディスエーブルにする。時間ｄにおいて、送信元ＢＳ１０２は、ＭＳ１１４からの送信の欠損を検出し、ＭＳの隣接局リスト、最新のＥＰＳＭＭ、及び場合によっては他の因子に基づき、ＭＳ１１４に対する１つ以上の救援候補セルを選択する。送信元ＢＳ１０２は、Ａ７ハンドオフ要求メッセージ２０６を送信先ＢＳ１０４、１０６に送信して、救援セルが要求されていることを示す。そのメッセージは、送信元ＢＳ１０２が選択した１つ以上の救援候補セルのセルＩＤ（群）と、救援試行情報要素（ＩＥ）とを含む。要素中の送信フラグが、“０”にセットされ、ＭＳ１１４が獲得されるまで順方向フレームを送信しないように送信先ＢＳ（群）１０４、１０６に指示する。
【００２６】
時間ｅにおいて、送信元ＢＳ１０２は、順方向アイドルフレーム３０２を送信先ＢＳ（群）１０４、１０６へ送信し始める。時間ｆにおいて、送信先ＢＳ（群）１０４、１０６は、最初の順方向フレームが受信されてＡ３救援リンクが同期化されると直ちに、送信元ＢＳ１０２へ逆方向アイドルフレーム２１０を送信し始める。ＭＳ１１４を既に獲得している場合、送信先ＢＳ（群）１０４、１０６は、逆方向トラフィックフレーム２１０を送信する。時間ｇにおいて、送信先ＢＳ（群）１０４、１０６は、Ａ７ハンドオフ要求応答メッセージ２１２を送信元ＢＳ１０２に送信して、救援セル手順がサポートされ得るかどうか確認する。送信先ＢＳ（群）１０４、１０６は、救援手順をサポートできる場合、選択された救援セル（群）上でＭＳ１１４の獲得を試みる。時間ｈにおいて、（ＥＮＬＵＭ／ＵＮＬＭ／ＧＮＬＭ／ＥＮＬＭメッセージにおいて指定されるように）設定可能な時間経過後、ＭＳ１１４は、その送信器を再度イネーブルにする。次に、送信先ＢＳ（群）１０４、１０６は、ＭＳ１１４から逆方向フレーム及び／又はＥＰＳＭＭ２１４の受信を開始する。時間ｉにおいて、送信先ＢＳ（群）１０４、１０６は、逆方向トラフィックフレーム及びＥＰＳＭＭ３０４を送信元ＢＳ１０２に送信する。ＥＰＳＭＭメッセージは、送信元ＢＳ１０２が選択した少なくとも１つの救援セルが、ＭＳ１１４によってアクティブセットへ自発的に設定されたことを示す。時間ｊにおいて、送信元ＢＳ１０２は、救援Ａ３接続を介して、送信先ＢＳ（群）１０４、１０６へ順方向トラフィックフレーム３０６の送信を開始する。時間ｋにおいて、送信先ＢＳ（群）１０４、１０６は、救援チャネルを介して、ＭＳ１１４へ順方向トラフィックフレーム３０８の送信を開始する。時間ｌにおいて、送信元ＢＳ１０２は、救援チャネルから通常のトラフィックチャネルに呼を移すために、送信元ＢＳ１０２によって双方共成功裏に選択された、またＭＳ１１４によってアクティブセットへ自発的に設定されたあらゆる救援セルに対して、送信先ＢＳ（群）１０４、１０６とのソフト／より緩やかなソフトハンドオフ追加手順２２０（ＩＯＳの３．５．２．３．１項に記載）を開始する（救援用Ａ３接続は解放されない）。送信元ＢＳ１０２は、必要ならばアクティブセットを同期化するために、ソフトハンドオフ追加と除去手順（ＩＯＳの３．５．２．３．３項に記載）を実行する。
【００２７】
時間ｍにおいて、送信元ＢＳ１０２は、Ａ３−ＩＳ−２０００ＦＣＨ順方向メッセージ２２２のハンドオフ指示メッセージを、送信先ＢＳ（群）１０４、１０６に送信する。時間ｎにおいて、送信先ＢＳ（群）１０４、１０６は、ハンドオフ指示メッセージ２２４をＭＳ１１４に送信して、アクティブセットを同期化し、また救援チャネルからＭＳ１１４を離脱させる。時間ｏにおいて、ＭＳ１１４は、ＭＳ応答命令２２６を用いてメッセージの受信を確認する。時間ｐにおいて、ＭＳ１１４は、ハンドオフ完了メッセージ２２８を用いて応答することによって、ハンドオフ指示メッセージの処理結果が成功であったことを示す。時間ｑにおいて、送信先ＢＳ（群）１０４、１０６は、ＢＳ応答命令２３０で応答する。時間ｒにおいて、送信元ＢＳ１０２は、ハンドオフ実行メッセージ２３２をＭＳＣに送信してもよい。ハンドオフ実行メッセージは、ＩＯＳ第３．３．１．３項に基づく条件付きである。ハンドオフ実行メッセージは、ハンドオフ完了メッセージがＢＳにおいて受信された後であればいつでも送信し得る。時間ｓにおいて、送信元ＢＳ１０２は、Ａ７欠落送信先メッセージ２３４を送信先ＢＳ（群）１０４、１０６に送信して、呼回復用救援チャネル（群）の解放を要求する。送信元ＢＳ１０２は、タイマＴｄｒｐｔｇｔを開始する。救援Ａ３リンクは、今後の救援試行用に接続されたままにする。時間ｔにおいて、送信先ＢＳ（群）１０４、１０６は、Ａ７欠落送信先応答メッセージ２３６を送信元ＢＳ１０２に送信して、指定されたチャネル（群）の解放を確認する。送信元ＢＳ１０２は、タイマＴｄｒｐｔｇｔを停止する。
【００２８】
本発明の第３の実施形態において、図４は、ＢＳ１０２及びＭＳ１１４が、異なる救援セル（群）を選択して救援を試みる場合に対する信号の流れを示す。時間ａにおいて、ＭＳ１１４は、所定数の信号品質が不充分なフレーム２０４を受信し、その送信器をディスエーブルにする。時間ｂにおいて、送信元ＢＳ１０２は、上述した第１の実施形態のステップｄ）−ｇ）２０６、２０８、２１０、２１２において記述したように、送信先ＢＳ１  １０４と救援チャネル手順を開始する。送信先ＢＳ１  １０４は、ＭＳ１１４に対するリスニングを行うが、無線を介して送信は行わない。時間ｃにおいて、（ＥＮＬＵＭ／ＵＮＬＭ／ＧＮＬＭ／ＥＮＬＭメッセージにおいて指定されるように）設定可能な時間経過後、ＭＳ１１４は、その送信器を再度イネーブルにする。送信元ＢＳ１０２及び／又は送信先ＢＳ１  １０４は、ＭＳ１１４から逆方向フレーム及びＥＰＳＭＭ４０２の受信を開始する。時間ｄにおいて、送信先ＢＳ１  １０４は、獲得されると直ちに、救援チャネル（群）を介してＭＳ１１４へ順方向トラフィックフレームの送信を開始する。時間ｅにおいて、送信先ＢＳ１  １０４は、送信元ＢＳ１０２に、逆方向トラフィックフレーム及びＥＰＳＭＭ４０４を送信する。このＥＰＳＭＭは、送信元ＢＳ１０２が選択した救援セル（群）が、ＭＳ１１４によってアクティブセットへ自発的に設定されたセル（群）と整合しないことを示す。時間ｆにおいて、送信元ＢＳ１０２は、Ａ７ハンドオフ要求メッセージ４０６を送信先ＢＳ２  １０６に送信して、救援セルが要求されていることを示す。このメッセージは、ＥＰＳＭＭメッセージにおいて報告されたように、ＭＳ１１４によってアクティブセットに自発的に設定された１つ以上の救援セル（群）のセルＩＤを示す。また、このメッセージには、“１”に設定された送信フラグを有する救援要求情報ＩＥが含まれ、送信先ＢＳ２  １０６に指示して、同期が取られた場合直ちに、救援チャネル（群）上でＭＳ１１４へ順方向フレームの送信を開始させる。
【００２９】
時間ｇにおいて、送信元ＢＳ１０２は、順方向トラフィックフレーム４０８を送信先ＢＳ２  １０６へ送信し始め、Ａ３救援リンクを同期化させる。時間ｈにおいて、送信先ＢＳ２  １０６は、最初の順方向フレームが受信されてＡ３救援リンクが同期化されると直ちに、送信元ＢＳ１０２へ逆方向アイドルフレーム４１０を送信し始める。送信先ＢＳ２  １０６が移動局を既に獲得している場合、逆方向トラフィックフレーム４１０が送信される。時間ｉにおいて、送信先ＢＳ２  １０６は、Ａ７ハンドオフ要求応答メッセージ４１２を送信元ＢＳ１０２に送信して、救援チャネル手順がサポートされ得るかどうか確認する。送信先ＢＳ２  １０６は、この救援手順をサポートできる場合、救援セル（群）上でＭＳ１１４の獲得を試みる。時間ｊにおいて、同期化が起こると直ちに、順方向フレーム４１４の送信を開始する。時間ｋにおいて、送信元ＢＳ１０２が、そのＳＤＵ機能と送信先ＢＳ２  １０６がＡ３救援リンクを同期化させた場合、送信先ＢＳ２  １０６における送信と受信の開始の通知を受けるように選択されているならば、送信先ＢＳ２  １０６は、Ａ３トラフィックチャネル状態メッセージ４１６で応答する。他の実施形態において、このステップは、時間ｆにおけるステップの後であればいつでも実行し得る。時間ｌにおいて、ＭＳ１１４を獲得した後、送信先ＢＳ２  １０６は、送信元ＢＳ１０２へ逆方向トラフィックフレーム４１８の送信を開始する。時間ｍにおいて、送信元ＢＳ１０２は、Ａ７欠落送信先メッセージ４２０を送信先ＢＳ１  １０４へ送信して、ＭＳ１１４によって自発的に設定されず、これ以前のステップｂ）において付加された救援チャネル（群）の解放を要求する。他の実施形態において、このステップは、時間ｄにおけるステップの後であればいつでも実行し得る。
【００３０】
時間ｎにおいて、送信先ＢＳ１  １０４は、送信元ＢＳ１０２へ、Ａ７欠落送信先応答メッセージ４２２を送信して、指定されたチャネル（群）の除去を確認する。Ａ３救援リンクは解放されず、その後の救援試行のために接続されたままである。時間ｏにおいて、救援チャネル一掃手順４２４が行われる。すなわち、送信元ＢＳ１０２は、アクティブセットの同期化を試み、ＭＳ１１４を救援チャネル（群）から除去し、またハンドオフ指示メッセージをＭＳ１１４へ送信する。呼フローの残りのステップは、ＩＯＳの第３．５．２．３．１項の時間ｋ）からｓ）において説明されている通りである。
【００３１】
当業者は、本発明の装置及びこの装置の構成において、本発明の範囲と精神から逸脱することなく、様々な修正や変更が成し得ることを認識されるであろう。
【００３２】
【発明の効果】
以上説明したように、本発明により、基盤施設が救援候補セルに適切な動作を確実に信号送信できるように通信システム構成要素間における信号送信方式を提供することによって、複数の基地局を有する複数の基地システムから構成される通信システムにおける呼欠落が低減される。
【図面の簡単な説明】
【図１】  本発明の救援チャネルをサポートするための方法を実現し得る通信システムのブロック図。
【図２】  基盤施設とＭＳが同一の救援セル（群）を選択し救援試行を行う場合における救援チャネル法の第１実施形態のフロー図。
【図３】  基盤施設とＭＳが同一の救援セル（群）を選択し救援試行を行う場合における救援チャネル法の第２実施形態のフロー図。
【図４】  基盤施設とＭＳが異なる救援セル（群）を選択し救援試行を行う場合における救援チャネル法の第３実施形態のフロー図。
【符号の説明】
１００・・・ 通信システム、１０２・・・ 送信元ＢＳ、１０４・・・ 送信先ＢＳ、１０６・・・ 送信先ＢＳ、１０８・・・ Ａ３インタフェース、１１０・・・ Ａ７インタフェース、１１２・・・ 移動交換局（ＭＳＣ）、１１４・・・ ＭＳ、１１６・・・ 無線インタフェース、１１８・・・ Ａ１インタフェース。
【図１】
0003898576.tif 000002
【図２】
0003898576.tif 000003
【図３】
0003898576.tif 000004
【図４】
0003898576.tif 000005